(57)【要約】【課題】  商品又はその付随品の数や種類を調べる手間とそれに伴う料金の計算を自動的に行なうキャッシュレジスタ装置を提供する。【解決手段】  台車13に載置台15,15Ａとキャッシュレジスタ装置本体14を設ける。載置台15,15Ａに寿司等商品の収容体２に設けたデータキャリア１の読み取り装置17を設けると共に、読み取り装置17をキャッシュレジスタ装置本体14に接続する。載置台15,15Ａはデータキャリア１の電磁波が透過可能に設けられている。収容体２を載置台15,15Ａに載置することで、読み取り装置17によりデータキャリア１の情報が読み取られて請求金額等を自動的に計算することがきる。１台の読み取り装置17によって、載置台15に載置した収容体２のデータキャリア１のみならず、載置台15Ａに載置した収容体２のデータキャリア１の情報をも同時に読み取ることができる【選択図】図１
2006024160.tif 000002
【特許請求の範囲】
【請求項１】
電磁誘導型データキャリアが一体又は収容体を介して一体的に設けられている商品のキャッシュレジスタ装置であって、キャッシュレジスタ装置本体と、前記商品又は前記収容体の複数段の載置台と、前記載置台に設けられる前記データキャリアの読み取り手段と、前記読み取り手段の情報を前記キャッシュレジスタ装置本体へ出力する制御手段とを備え、前記載置台は前記データキャリアの電磁波が透過可能に設けられていることを特徴とするキャッシュレジスタ装置。
【請求項２】
前記複数段の載置台は上下に間隔をおいて配置され、上段の載置台の底面に前記読み取り手段を設けたことを特徴とする請求項１記載のキャッシュレジスタ装置。
【請求項３】
前記読み取り手段はループアンテナであって、該ループアンテナの枠に対応して前記載置台に対応枠表示部を設けたことを特徴とする請求項１又は２記載のキャッシュレジスタ装置。
【発明の詳細な説明】
【技術分野】
【０００１】
本発明は、電磁誘導型データキャリアが設けられている商品のキャッシュレジスタ装置に関するものである。
【背景技術】
【０００２】
従来、POS （販売時点情報管理）システムは、デパートやスーパーマーケット等商店で販売登録業務を処理する装置であり、POS システムでは、電子式キャッシュレジスタ（ECR）が、店全体の売上情報等を管理するホストコンピュータに伝送路で接続されている。ホストコンピュータには、全販売商品の商品情報や売上情報を格納したマスタ商品ファイルが設けられ、売場ごとのファイル制御部には、管轄する売場で販売される商品の商品情報を格納したサブ商品ファイルが設けられている。そしてECRで商品のバーコードを読み取ると、商品コードはファイル制御部へ送信され、ファイル制御部は、商品コードでサブ商品ファイルを検索し、対応する商品情報を読み出して、ECRへ送信する。ECRは、この商品情報に基づいて、販売商品に対する登録処理を行うようになっている（例えば、特許文献１）。
【０００３】
さらに、電磁誘導によって情報の読み取り及び書き込みができるＩＤタグ、ＩＣタグ等と称せられる非接触・無電池式データキャリアデータキャリアがＩＤ媒体として設けられている商品、例えば皿に飲食品を載置して客に寿司を提供する回転寿司等と称せられる巡回搬送式飲食店にも知られている（特許文献２，３）。
【特許文献１】特開２００３−３１７１５２号公報
【特許文献２】特開平８−２３８１５７号公報
【特許文献３】特開平９−４４７５３号公報
【発明の開示】
【発明が解決しようとする課題】
【０００４】
ところで、このような商店にあっては販売時に料金を計算して受け付けでキャッシュレジスタやクレジットカード受け付け清算装置により支払を行なう。このような従来の清算にあっては、まず客は料金を受け付けに行って支払うものであるから、客は受け付けで商品の総額等の清算のために待つ必要がある。例えば、巡回搬送式飲食店においては、飲食品の料金は食した皿数に加えて複数の飲食品の料金をも勘案して料金を計算しなければならず、その計算時間、ひいては客の待ち時間は長くなってしまう。しかも、店員は皿数を数えたり清算したりする他に、テーブルに残った皿を速やかに片付ける作業もある。
【０００５】
このような作業の効率化を図るものとして同一出願人は、載置台にデータキャリアの読み取り装置を設けると共に、読み取り装置にキャッシュレジスタ装置本体への出力手段を接続し、寿司等商品の皿など収容体を載置台に載置することで、読み取り装置によりデータキャリアの情報、ひいては収容体それぞれの固有の情報等が読み取られて請求金額等を自動的に計算することがきるものを特願２００４−２８５７０号により提案している。
【０００６】
この提案においては、収容体それぞれの固有の情報等が読み取り装置に読み取られる便利なものであったが、キャッシュレジスタ装置におけるさらなる性能の向上が期待されている。
【０００７】
解決しようとする問題点は、商品又はその付随品の数や種類を調べる手間とそれに伴う料金の計算を自動的に効率よく行なうキャッシュレジスタ装置を提供する点である。
【課題を解決するための手段】
【０００８】
請求項１の発明は、電磁誘導型データキャリアが一体又は収容体を介して一体的に設けられている商品のキャッシュレジスタ装置であって、キャッシュレジスタ装置本体と、前記商品又は前記収容体の複数段の載置台と、前記載置台に設けられる前記データキャリアの読み取り手段と、前記読み取り手段の情報を前記キャッシュレジスタ装置本体へ出力する制御手段とを備え、前記載置台は前記データキャリアの電磁波が透過可能に設けられていることを特徴とするキャッシュレジスタ装置である。
【０００９】
請求項２の発明は、前記複数段の載置台は上下に間隔をおいて配置され、上段の載置台の底面に前記読み取り手段を設けたことを特徴とする請求項１記載のキャッシュレジスタ装置である。
【００１０】
請求項３の発明は、前記読み取り手段はループアンテナであって、該ループアンテナの枠に対応して前記載置台に対応枠表示部を設けたことを特徴とする請求項１又は２記載のキャッシュレジスタ装置である。
【発明の効果】
【００１１】
請求項１の発明によれば、商品又はその収容体を載置台に載置することで、読み取り手段によりデータキャリアの情報が読み取られて請求金額等を自動的に計算することがきると共に、１台の読み取り装置によって、複数段の載置台に設けられるデータキャリアの情報を同時に読み取ることができる。
【００１２】
請求項２の発明によれば、上下方向に配置した複数段の載置台に載置した商品又はその収容体のデータキャリアの情報を同時に読み取ることができる。
【００１３】
請求項３の発明によれば、ループアンテナに面する上下方向の空間内のデータキャリアを確実に読み取り手段の読み取り範囲内に載置することができ、読み取りミスを一掃することができる。
【発明を実施するための最良の形態】
【００１４】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１５】
図１〜５は実施例１を示しており、実施例１は巡回搬送式飲食店の場合を示しており、電磁誘導によって情報の読み取り及び書き込みができるＩＤタグ等と称せられる非接触・無電池式データキャリア１が設けられている皿などの収容体２を用い、この収容体２に寿司等商品である飲食品（図示せず）を収容してコンベアなど巡回搬送路３上に載置し客に提供する回転寿司の場合を示している。この場合巡回搬送路３や厨房（図示せず）にデータキャリア１に記録された情報のアンテナ状の読み取り及び書き込み装置4,４Ａを配置し、厨房等においてはパソコン（図示せず）等を利用してデータキャリア１に収容体２の専属の皿番号等情報の他に収容体２に収容する飲食品の品名や料金或いはそれらを示す飲食品情報等を読み取り及び書き込み装置4を介して書き込む。そして読み取り及び書き込み装置4の配置点を飲食品を収容した収容体２が巡回搬送路３上を通過する時には、当該収容体２のデータキャリア１のデータ記憶部（図示せず）にその通過時刻と予め設定されている当該飲食品の鮮度維持可能滞留時間とを加算した賞味限度時刻を書き込む、そして、その賞味限度時刻を次回以降の別の箇所の読み取り及び書き込み装置４Ａの配置点通過時毎に該読み取り及び書き込み装置４Ａにより読み取って現在の時刻と比較し、現在の時刻が賞味限度時刻以内ならそのまま搬送して客に提供する一方、現在の時刻が賞味限度時刻を過ぎていればその判別信号により巡回搬送路３の読み取り及び書き込み装置４Ａの下流側に配置された廃棄装置３Ａを介して廃棄するようになっている。尚、５は巡回搬送路３に沿って設けた客用のテーブルを示している。また、収容体２はデータキャリア１の電磁波が透過する材料、例えば合成樹脂により形成されている。
【００１６】
ワゴン形のキャッシュレジスタ装置11は、自在キャスタ等移動用車輪12を底部側の４隅に備え平面がほぼ矩形のワゴン状の台車13と、前記台車13の最上段の載置台13Ａに設けられるキャッシュレジスタ装置本体14と、前記台車13の最上段の載置台13Ａと車輪12との間に上下方向に複数段間隔をおいて設けられる前記収容体２の第１、２の載置台15,15Ａと、前記台車13の下段に設けられる商品又はその収容体２の回収用の台状の収容部16を多段、実施例では間隔をおいて３段に備える。そして、前記第１の載置台15の底面側には前記データキャリア１の読み取り手段たるループアンテナ状の読み取り装置17を設けると共に、前記読み取り装置17に前記キャッシュレジスタ装置本体14を接続して読み取り装置17の情報をキャッシュレジスタ装置本体14へ送るものである。
【００１７】
電子式のキャッシュレジスタ装置本体14は、金額などを手で入力する操作用の入力部14Ａと、金額などの表示部14Ｂと、現金を収容するドロワ14Ｃが設けられたものであり、実施例ではパソコンなどからなる制御手段たる制御機器18の正面に入力部14Ａが正面に向けて設けられ、また、この入力部14Ａの近傍にキャッシャー用の表示部14Ｂが液晶パネルなどにより設けられている。また、制御機器18と隣接してレシート19Ａを発行するレシート発行器たるプリンター19が設けられており、また、制御機器18の下部には正面側に向けて引き出し可能にドロワ14Ｃが設けられている。
【００１８】
また、前記入力部14Ａはキーボード状の「数字」の他に「（商品代金を計算する）お会計」、データキャリア１を利用しないで精算される商品たる「味噌汁」、「茶碗蒸」、「ビール」「お酒」等の各種業務を行なうことができるようになっており、表示部14Ｂをタッチパネル式として入力部14Ａの一部を兼用できるようにしてもよい。尚、表示部14Ｂには食した商品、例えば「２００円皿」「９枚」「単価２００円」「金額１８００（円）」等の他にお買い上げ金額「１９０００（円）」等が表示されている。
【００１９】
そして、最上段の載置台13Ａ及び第１及び第２の載置台15,15Ａは平面が矩形のほぼ同じ大きさの平板状をなしており、それらの四隅に支柱13Ｂを介して所定の高さ空間を介して載置台13Ａ,15,15Ａが上下方向に配置されている。平面が矩形枠状の読み取り装置17は上段の載置台15の底面に設けられるものであって、その軸線を載置台15の軸線とほぼ同一に配置している。そして、第１の載置台15はデータキャリア１が発する電磁波が透過するように、例えば金属ではなく合成樹脂により形成されている。同様に支柱13Ｂも前記電磁波が透過するように、金属ではなく合成樹脂により形成されている。さらに、ループアンテナ状の読み取り装置17の読み取り範囲はループ部17Ａの上下方向になっているので、ループ部17Ａが上方向に投影する第１の載置台15の上面に、対応枠表示部20が形成されている。同様にループ部17Ａが下方向に投影する第２の載置台15Ａの上面に、対応枠表示部20Ａが形成されている。したがって、第１及び第２の載置台15,15Ａ上にあるデータキャリア１の情報を、第１の載置台15の底面にある読み取り装置17によって同時に読み取り可能に設けられている。尚、ループアンテナ状の読み取り装置17の読み取り範囲は、平面が矩形のループ部17Ａが上下方向に投影する範囲で、かつその上方向は載置台13Ａの底面までで下方向は載置台15Ａの上面までとなっている。
【００２０】
さらに、台車13には蓄電池21が設けられており、この蓄電池21には交流電源に接続する電気コンセント22がＡＣ／ＤＣ変換器23を介して制御機器18に接続している。尚、制御機器18の仕様によっては蓄電池21と制御機器18との間にＤＣ／ＡＣ変換器21Ａを介在する。
【００２１】
次に、前記制御機器18の内部に設けられている制御手段たる制御装置31の構成を制御ブロック図に基いて説明する。制御装置31は、演算回路等を内臓したＣＰＵ（中央処理装置）32、各種制御プログラムを格納したＲＯＭ（リードオンリーメモリ）33、各種データを格納するメモリを有するＲＡＭ（ランダムアクセスメモリ）34、前記ドロワ14Ｃのドロワ開放装置36とレシートに合計金額等のデータを印字出力するプリンター19を駆動するプリンター駆動回路38に駆動信号を送出するＩ／Ｏポート40、前記表示部14Ｂに表示データを送出する表示コントローラ41、前記入力部14Ａからのデータが入力される入力部コントローラ42等から構成されている。また、前記ＲＯＭ33、ＲＡＭ34、Ｉ／Ｏポート40、表示器コントローラ41および入力部コントローラ42はバスライン43を介して前記ＣＰＵ32に接続されている。尚、レシート19Ａには入力部14Ａから入力された商品販売データに基いてＣＰＵ32内のレシート発行部を介して、販売金額等を印字してレシート19Ａを発行するようになっている。
【００２２】
そして、前記読み取り装置17に出力手段を形成するＩ／Ｏポート44を接続し、該Ｉ／Ｏポート44を介してバスライン43によりＣＰＵ32に出力するものである。読み取り装置17は読み取り及び書き込み可能であってもよく、ＣＰＵ32に接続されて、データキャリア１から読み取りした情報をＣＰＵ32に出力している。そして、ＣＰＵ32にはＩ／０ポート44を介して送受信装置45が設けられて、該送受信装置45により、前記読み取り装置17の情報や清算金額などの情報を管理室Ｒにある管理用コンピュータ（図示せず）に送信できるようにしている。送信手段又は送受信手段としては店内無線ＬＡＮなどが用いられる。
【００２３】
前記台車13の下段に設けられる収容部16は、台車13の下段に棚47が設けられており、棚47上の四方は開口されている。
【００２４】
次に前記構成についてその作用を説明する。予め収容体２にデータキャリア１が設けられており、作りたての飲食品としての寿司を載せた収容体２を、読み取り及び書き込み装置4,の上流側の巡回搬送路３上に載置すると共に、図示しない情報処理手段たるパソコンなどの情報入力手段により載せた寿司の品名や料金或いはそれらを示す飲食品情報等を読み取り及び書き込み装置4に送信し、読み取り及び書き込み装置4上を通過する収容体２のデータキャリア１のデータ記憶部にそれら情報を読み取り及び書き込み装置4を介して記憶させる。同時に収容体２のデータキャリア１のデータ記憶部にその通過時刻と予め設定されている当該飲食品の鮮度維持可能滞留時間とを加算した賞味限度時刻を書き込む。この描き込みもパソコンなどの情報入力手段によって、読み取り及び書き込み装置4を介して記憶させる。したがって、データキャリア１には、例えば商品名「２００円皿」単価「単価２００円」等の商品情報の他に、その商品の賞味限度時刻等が記憶される。尚、賞味限度時刻ではなく書き込んだ時間を基準として賞味限度経過時間でもよく、また収容体２、具体的には皿を価格毎に色分けやサイズ違いとして、それに応じてデータキャリア１に価格などの商品情報を予め記憶させておいて、いちいち価格などの商品情報を書き直すことなく賞味限度時刻や賞味限度経過時間等の賞味限度情報のみを記憶させるようにしてもよい。
【００２５】
したがって、データキャリア１が一体な収容体２が商品と共に巡回搬送路３上に載置して循環する。そして、このような収容体２に商品である寿司を巡回搬送路３に流すことにより、テーブル５前の客は寿司を収容体２と一緒に取り出し、そして食する。この際、循環した収容体２、ひいてはデータキャリア１が読み取り及び書き込み装置４Ａ上に来ると、読み取り及び書き込み装置４Ａにより賞味限度時刻又は賞味限度経過時間が読み取られ、これが前記パソコンに入力されることにより、該パソコンは、賞味限度時刻が経過しているか否か、又は賞味限度経過時間が経過しているか否かを判断して、経過していない場合には収容体２、すなわち商品をそのまま巡回搬送路３の下流側に流す。一方、賞味限度時刻又は賞味限度経過時間が経過したものは、読み取り及び書き込み装置４Ａの下流側に配置された廃棄装置３Ａを介して廃棄して巡回搬送路３より排除するようになっている。
【００２６】
そして、前記食して後にはテーブル５上に収容体２が残っており、このようにして食事が済むと、店員は台車13をテーブル５に近づけて客前でテーブル５にある収容体２をトレーや上方を開口した箱等の回収用収容体48,48Ａに積み重ねて収容し、この回収用収容体48を載置台15,15Ａに載せる。回収用収容体48はデータキャリア１の電磁波を透過するように形成されたものであり、例えば合成樹脂や木製により形成されている。この際、回収用収容体48は載置台15,15Ａにおける対応枠表示部20,20Ａの内側に載置してはみ出ないようにする。したがって、載置台15の底面にあるループ部17Ａを備えた読み取り装置17によって、載置台15に載置した回収用収容体48に収容した収容体２のデータキャリア１の情報は読み取られる。一方、載置台15の底面にあるループ部17Ａを備えた読み取り装置17によって、載置台15の下方に配置された載置台15Ａに載置した回収用収容体48Ａに収容された収容体２のデータキャリア１の情報は同時に読み取られる。このように載置台15,15Ａや、回収用収容体48,48Ａ或いは収容体２によって阻止されることなく、それぞれ載置台15,15Ａに載置された回収用収容箱48,48Ａ内に積み重ねられた収容体２のデータキャリア１を一度に読み取ることができるようになっている。そして入力部14Ａの販売済み商品データとしての「お皿数え」キーを操作することで、読み取り装置17により載置台15上にある収容体２のデータキャリア１を読み取る。これにより、収容体２の枚数やそれぞれの収容体２にあった寿司の価格の情報を読み取り、この情報をＣＰＵ32へ出力すると、ＣＰＵ32において食した食品の金額やサービス料等付加金額が加算された総額が計算され、この数量や総額が表示部14Ｂに「１９０００円」として表示される。この計算に基いて客はお金を支払い、一方店員はこれを入力部14Ａにより入力しておつり等を計算し、ほぼ同時にプリンター19により会計用のレシート19Ａが作成され、店員はレシート19Ａやおつりを客に渡して清算を完了する。その後、店員は収容体２或いは収容体２を収容した回収用収容体48を棚板47に収容して、テーブル５上の収容体２を片付ける。尚、このような清算、片付け作業を繰り返して棚板47に収容体２が万杯になると、台車13を厨房に運搬して収容体２を取り出して洗い場（図示せず）に置き、新たに空の回収用収容体48を棚板47にセットして再び客前で使用するものである。
【００２７】
以上のように、前記実施例では前記載置台15,15Ａに前記データキャリア１の読み取り装置17を設けると共に、前記読み取り装置17に前記キャッシュレジスタ装置本体14への出力手段を形成するＩ／Ｏポート44を接続し、寿司等商品の収容体２を載置台15,15Ａに載置することで、読み取り装置17によりデータキャリア１の情報、ひいては収容体２それぞれの固有の価格等の情報等が読み取られて請求金額等を自動的に計算することがきる。したがって、客の処でレシート19Ａを発行し、お勘定の精算が出来る為、従来の店舗でレジスタの処で客を待たせるようなことはなく、サービスを向上することができる。また、従来の店舗では盗難防止等のため、必ずレジスタの処に店員が居なければならなかったが、このキャッシュレジスタ装置11を店舗の規模に応じて複数置く事により、レジスタのための店員及びレジスタの場所が不要となり、店舗が広く使える。しかも、キャッシュレジスタ装置11は移動できるので客前で清算や支払などを行なうことができる。さらに、載置台15に載置した収容体２を収容部16に収容して台車13と一体に運搬することができるので、店員一人で清算、片付けを行なうことができ、省人化することができると共に、テーブル５上の使用済み収容体２を速やかに片付けることができ、すぐに次の客の利用が可能となる。
【００２８】
さらに、前記実施例では前記載置台15,15Ａは前記データキャリア１の電磁波が透過可能に設けられていることにより、１台の読み取り装置17によって、載置台15に載置した収容体２のデータキャリア１のみならず、載置台15Ａに載置した収容体２のデータキャリア１の情報をも同時に読み取ることができるので、読み取り装置17に伴う装置の小型化、それに伴う制御機器18のプログラムを簡略化することができる。
【００２９】
また、前記載置台15,15Ａは上下に間隔をおいて配置され、上段の載置台15の底面に前記読み取り手段17を設けたことにより、収容体２の回収用収容体48を載置台15に載置しても読み取り装置17に回収用収容体48が接するようなことはなく、読み取り装置17の破損などを阻止することができる。
【００３０】
しかも、前記読み取り手段17はループ部17Ａを備えたループアンテナであって、該ループ部17Ａに対応して前記載置台15,15Ａの上面に対応枠表示部20,20Ａを設けたことにより、ループ部17Ａに面する上下方向の空間内の収容体２、ひいてはデータキャリア１を確実に読み取り手段17の読み取り範囲内に載置することができ、読み取りミスを一掃することができる。
【実施例２】
【００３１】
図６〜８は実施例２を示しており、前記実施例１と同一部分には同一符号を付し、その詳細な説明を省略する。
【００３２】
ワゴン形のキャッシュレジスタ装置11Ａは、自在キャスタ等移動用車輪12を底部側の４隅に備えたワゴン状の台車13と、前記台車13の最上段の載置台13Ａに設けられるキャッシュレジスタ装置本体14と、前記台車13に上下方向に複数段間隔をおいて設けられる収容体２の第１、２の載置台15,15Ａと、前記台車13の下段に設けられる商品又はその収容体２の回収用の台状の収容部16とを備える。そして、前記第１の載置台15の底面側にはデータキャリア１の読み取り手段たるループアンテナ状の読み取り装置17を設けると共に、前記読み取り装置17に前記キャッシュレジスタ装置本体14を接続して読み取り装置17の情報をキャッシュレジスタ装置本体14へ送るものである。
【００３３】
電子式のキャッシュレジスタ装置本体14は、操作用の入力部14Ａと、表示部14Ｂと、ドロワ14Ｃが設けられたものであり、パソコンなどからなる制御手段たる制御機器18が設けられている。また、制御機器18と隣接してレシート19Ａを発行するレシート発行器たるプリンター19が設けられている。
【００３４】
前記最上段の載置台13Ａ及び第１及び第２の載置台15,15Ａは平面が矩形のほぼ同じ大きさの平板状をなしており、それらの四隅に支柱13Ｂを介して所定の高さ空間を介して載置台13Ａ,15,15Ａが上下方向に配置されている。平面が矩形枠状の読み取り装置17は上段の載置台15の底面に設けられるものであって、その軸線を載置台15の軸線とほぼ同一に配置している。そして、第１の載置台15はデータキャリア１が発する電磁波が透過するように、例えば木製板材により形成されている。同様に支柱13Ｂも前記電磁波が透過するように、金属ではなく木製板材により形成されている。したがって、第１及び第２の載置台15,15Ａ上にあるデータキャリア１の情報を、第１の載置台15の底面にある読み取り装置17によって同時に読み取り可能に設けられている。尚、ループアンテナ状の読み取り装置17の読み取り範囲は、平面が矩形のループ部17Ａが上下方向に投影する範囲で、かつその上方向は載置台13Ａの底面までで下方向は載置台15Ａの上面までとなっている。
【００３５】
さらに、台車13には蓄電池21が設けられており、この蓄電池21には交流電源に接続する電気コンセント（図示せず）がＡＣ／ＤＣ変換器（図示せず）を介して制御機器18に接続している。尚、制御機器18の仕様によっては蓄電池21と制御機器18との間にＤＣ／ＡＣ変換器（図示せず）を介在するものであって、これら蓄電池21は載置台15,15Ａの後部に配置したボックス21Ａに収容されており、このボックス21Ａは、読み取り装置17の読み取り範囲の外に設けられている。
【００３６】
次に前記構成についてその作用を説明する。店員は台車13をテーブル５に近づけて客前でテーブル５にある収容体２をトレーや上方を開口した箱等の回収用収容体48,48Ａに積み重ねて収容し、この回収用収容体48を載置台15,15Ａに載せる。回収用収容体48はデータキャリア１の電磁波を透過するように形成されたものであり、例えば合成樹脂や木製板材等により形成されている。この際、回収用収容体48は載置台15,15Ａにおける読み取り装置17の読み取り範囲内に配置する。したがって、載置台15の底面にあるループ部17Ａを備えた読み取り装置17によって、載置台15に載置した回収用収容体48に収容した収容体２のデータキャリア１の情報は読み取られる。一方、載置台15の底面にあるループ部17Ａを備えた読み取り装置17によって、載置台15の下方に配置された載置台15Ａに載置した回収用収容体48Ａに収容された収容体２のデータキャリア１の情報は同時に読み取られる。このように載置台15,15Ａや、回収用収容体48,48Ａ或いは収容体２によって阻止されることなく、それぞれ載置台15,15Ａに載置された回収用収容箱48,48Ａ内に積み重ねられた収容体２のデータキャリア１を一度に読み取ることができるようになっている。これにより、収容体２の枚数やそれぞれの収容体２にあった寿司の価格の情報を読み取り、この情報に基いて食した食品の金額やサービス料等付加金額が加算された総額が計算され、この数量や総額が表示部14Ｂに表示される。
【００３７】
以上のように、前記実施例では木製板材からなる前記載置台15,15Ａに前記データキャリア１の読み取り装置17を設けると共に、前記読み取り装置17に前記キャッシュレジスタ装置本体14へ接続し、寿司等商品の収容体２を載置台15,15Ａに載置することで、読み取り装置17によりデータキャリア１の情報、ひいては収容体２それぞれの固有の価格等の情報等が読み取られて請求金額等を自動的に計算することがき、サービスの向上を図ることができる。
【産業上の利用可能性】
【００３８】
尚、本発明は前記実施例に限定されるものではなく、例えば実施例ではデータキャリアが収容体を介して商品に一体的に設けられている場合を示したが、データキャリアが商品と一体に設けられていてもよい。
【図面の簡単な説明】
【００３９】
【図１】本発明の実施例１を示す斜視図である。
【図２】本発明の実施例１を示す分解斜視図である。
【図３】表示部及び操作部の正面図である。
【図４】本発明の実施例１を示す装置全体のブロック図である。
【図５】本発明の実施例１を示す制御部のブロック図である。
【図６】本発明の実施例２を示す正面側の斜視図である。
【図７】本発明の実施例２を示す側面側の斜視図である。
【図８】本発明の実施例２を示す分解斜視図である。
【符号の説明】
【００４０】
１  データキャリア
２  収容体
14  キャッシュレジスタ装置本体
15  15Ａ  載置台
17  読み取り装置（読み取り手段）
18  制御機器（制御手段）
20Ａ  対応枠表示部
【図１】
2006024160.tif 000003
【図２】
2006024160.tif 000004
【図３】
2006024160.tif 000005
【図４】
2006024160.tif 000006
【図５】
2006024160.tif 000007
【図６】
2006024160.tif 000008
【図７】
2006024160.tif 000009
【図８】
2006024160.tif 000010